(57)【特許請求の範囲】
【請求項１】
接眼部と液受部とでなる洗眼部と、つまみ部とを有する洗眼器であって、
上記洗眼器は、弾性変形可能な柔軟素材で一体成形されていて、上記液受部は、上記つまみ部から外方に膨出するようにして形成されているとともに、上記液受部の洗眼液が入る部分と接眼部に繋ぐ部分との間に、上記液受部の一部を外方に膨出させるようにして上記液受部の内面よりも外方に膨出した内面を有する空隙部が形成されていることを特徴とする洗眼器。
【請求項２】
上記接眼部は楕円状に形成され、
上記空隙部は、上記接眼部の長軸方向の両側に形成されていることを特徴とする請求項１記載の洗眼器。
【請求項３】
上記つまみ部には、滑り止め加工が施され、
上記滑り止めは、偏平部である請求項１又は２記載の洗眼器。
【請求項４】
上記つまみ部には、滑り止め加工が施され、
上記滑り止めは、凹部または凸部である請求項１又は２記載の洗眼器。
【請求項５】
上記つまみ部には、滑り止め加工が施され、
上記滑り止めは、偏平部と、この偏平部に形成された凹部または凸部である請求項１又は２記載の洗眼器。
【請求項６】
上記洗眼部は楕円状に形成されて、上記つまみ部の偏平部は長軸方向に偏平に形成されている請求項３または５記載の洗眼器。
【請求項７】
上記つまみ部を下向きにした洗眼器をほぼ水平状態で自立保持させるためのアダプターが、洗眼器と別部材で設けられている請求項１〜６のいずれか１項に記載の洗眼器。
【請求項８】
接眼部と液受部とでなる洗眼部と、つまみ部とを有するとともに、洗眼器には、つまみ部を下向きにした洗眼器をほぼ水平状態で自立保持させるためのアダプターが一体成形で設けられた洗眼器であって、
上記洗眼器は、弾性変形可能な柔軟素材で一体成形されていて、上記液受部は、上記つまみ部から外方に膨出するようにして形成されているとともに、上記液受部の洗眼液が入る部分と接眼部に繋ぐ部分との間に、上記液受部の一部を外方に膨出させるようにして上記液受部の内面よりも外方に膨出した内面を有する空隙部が形成されていることを特徴とする洗眼器。
【請求項９】
上記アダプターには滑り止め加工が施され、
上記滑り止めは、偏平部である請求項８記載の洗眼器。
【請求項１０】
上記アダプターには滑り止め加工が施され、
上記滑り止めは、凹部または凸部である請求項８記載の洗眼器。
【請求項１１】
上記アダプターには滑り止め加工が施され、
上記滑り止めは、偏平部と、この偏平部に形成された凹部または凸部である請求項８記載の洗眼器。
【請求項１２】
上記洗眼部およびアダプターは楕円状に形成されて、このアダプターの偏平部は長軸方向に偏平に形成されている請求項９または１１記載の洗眼器。
【請求項１３】
上記つまみ部には、長軸方向に偏平な偏平部が形成されている請求項９、１１または１２のいずれか１項に記載の洗眼器。
【請求項１４】
上記アダプターの偏平部は、つまみ部若しくはつまみ部の偏平部に接合されている請求項９、１１〜１３のいずれか１項に記載の洗眼器。
【請求項１５】
上記アダプターの偏平部は、つまみ部若しくはつまみ部の偏平部に接合されていない請求項９、１１〜１３のいずれか１項に記載の洗眼器。
【請求項１６】
上記アダプターは、つまみ部の先端に一体成形している請求項８記載の洗眼器。
【請求項１７】
上記つまみ部の深さは、１５〜２５ｍｍである請求項１〜１６のいずれか１項に記載の洗眼器。
【請求項１８】
上記洗眼器の弾性変形可能な柔軟素材は、耐熱性を有している請求項１〜１７のいずれか１項に記載の洗眼器。
【請求項１９】
請求項１〜１８いずれかに記載の洗眼器と、洗眼液入りボトルとが組み合わされてなることを特徴とする洗眼セット。
【発明の詳細な説明】
【技術分野】
【０００１】
本発明は、洗眼液で眼を洗浄するときに使用する洗眼器および洗眼セットに関する。
【背景技術】
【０００２】
従来、図２３（ａ）に示すように、筒部１から帽状の圧搾部２を延設した弾性変形可能な乳房状であって、洗眼時に圧搾部２に洗眼液を注いで、開口側の端縁を眼６の回りに押し当てるようにした洗眼器３がある（例えば、特許文献１参照）。
【０００３】
この洗眼器３は、不使用時には、図２３（ｂ）に示すように、筒部１を介して洗眼液容器体４の口部に、キャップ５の上から嵌合付設できるようになっている。
【０００４】
そして、洗眼時には容器体４から洗眼器３を取外して逆さまにし、圧搾部２に容器体４から洗眼液を注ぎ、開口側の端縁を眼６の回りに隙間無く押し当て、この状態で圧搾部２を指先で鎖線のように圧搾して洗眼液を加圧し、この加圧洗眼液を眼６の中に注ぎ入れて洗浄するようになる。
【特許文献１】実公平６−６８２８号公報
【発明の開示】
【発明が解決しようとする課題】
【０００５】
しかしながら、特許文献１の洗眼器３の圧搾部２には、圧搾（スクイズ）をするときの滑り止め加工が施されていないから、指先が圧搾部２で不用意に滑らないように、指先に力を込めて圧搾（スクイズ）しなければならないという不具合があった。
【０００６】
本発明は、上記問題を解消するためになされたもので、軽い力でスムーズにスクイズできるようにした洗眼器を提供することを課題とするものである。
【課題を解決するための手段】
【０００７】
上記課題を解決するために、本発明の第１の手段である洗眼器は、接眼部と液受部とでなる洗眼部と、つまみ部とを有する洗眼器であって、上記洗眼器は、弾性変形可能な柔軟素材で一体成形されていて、上記液受部は、上記つまみ部から外方に膨出するようにして形成されているとともに、上記液受部の洗眼液が入る部分と接眼部に繋ぐ部分との間に、上記液受部の一部を外方に膨出させるようにして上記液受部の内面よりも外方に膨出した内面を有する空隙部が形成されていることを特徴とするものである。
又、請求項２のように、上記接眼部は楕円状に形成され、上記空隙部は、上記接眼部の長軸方向の両側に形成されていることが好ましい。
【０００８】
請求項３のように、上記つまみ部には、滑り止め加工が施され、上記滑り止めは、偏平部である構成とすることが好ましい。
【０００９】
請求項４のように、上記つまみ部には、滑り止め加工が施され、上記滑り止めは、凹部または凸部である構成とすることが好ましい。
【００１０】
請求項５のように、上記つまみ部には、滑り止め加工が施され、上記滑り止めは、偏平部と、この偏平部に形成された凹部または凸部である構成とすることが好ましい。
【００１１】
請求項６のように、上記洗眼部は楕円状に形成されて、上記つまみ部の偏平部は長軸方向に偏平に形成されている構成とすることが好ましい。
【００１２】
請求項７のように、上記つまみ部を下向きにした洗眼器をほぼ水平状態で自立保持させるためのアダプターが、洗眼器と別部材で設けられている構成とすることが好ましい。
【００１３】
本発明の第２の手段である洗眼器は、接眼部と液受部とでなる洗眼部と、つまみ部とを有するとともに、洗眼器には、つまみ部を下向きにした洗眼器をほぼ水平状態で自立保持させるためのアダプターが一体成形で設けられた洗眼器であって、上記洗眼器は、弾性変形可能な柔軟素材で一体成形されていて、上記液受部は、上記つまみ部から外方に膨出するようにして形成されているとともに、上記液受部の洗眼液が入る部分と接眼部に繋ぐ部分との間に、上記液受部の一部を外方に膨出させるようにして上記液受部の内面よりも外方に膨出した内面を有する空隙部が形成されていることを特徴とするものである。
【００１４】
請求項９のように、上記アダプターには滑り止め加工が施され、上記滑り止めは、偏平部である構成とすることが好ましい。
【００１５】
請求項１０のように、上記アダプターには滑り止め加工が施され、上記滑り止めは、凹部または凸部である構成とすることが好ましい。
【００１６】
請求項１１のように、上記アダプターには滑り止め加工が施され、上記滑り止めは、偏平部と、この偏平部に形成された凹部または凸部である構成とすることが好ましい。
【００１７】
請求項１２のように、上記洗眼部およびアダプターは楕円状に形成されて、このアダプターの偏平部は長軸方向に偏平に形成されている構成とすることが好ましい。
【００１８】
請求項１３のように、上記つまみ部には、長軸方向に偏平な偏平部が形成されている構成とすることが好ましい。
【００１９】
請求項１４のように、上記アダプターの偏平部は、つまみ部若しくはつまみ部の偏平部に接合されている構成とすることができる。
【００２０】
請求項１５のように、上記アダプターの偏平部は、つまみ部若しくはつまみ部の偏平部に接合されていない構成とすることができる。
【００２１】
請求項１６のように、上記アダプターは、つまみ部の先端に一体成形している構成とすることができる。
【００２２】
請求項１７のように、上記つまみ部の深さは、１５〜２５ｍｍである構成とすることが好ましい。
【００２４】
請求項１８のように、上記洗眼器の弾性変形可能な柔軟素材は、耐熱性を有している構成とすることが好ましい。
【００２５】
請求項１９のように、請求項１〜１８のいずれかに記載の洗眼器と、洗眼液入りボトルとが組み合わされてなる洗眼セットとすることができる。
【発明の効果】
【００２６】
本発明の第１の手段である洗眼器によれば、弾性変形可能な柔軟素材で洗眼器を一体成形しているから、洗眼時に、液受部に洗眼液を注入し、接眼部を眼の周囲に押し当てた後に、下向き姿勢でつまみ部を指でつまんでスクイズするだけで、水中での瞬きで得られる攪拌水流とほぼ同程度の強さで洗眼液が攪拌されるので、熟練を要する水中での瞬きをする必要が無くなって、使用時の簡便性が向上するようになる。なお、上向き姿勢でも洗眼が可能である。
【００２７】
又、液受部の洗眼液が入る部分と接眼部に繋ぐ部分との間に空隙部を形成すると、下向き姿勢で洗眼する場合、眼との間に液が充満した状態でつまみ部をスクイズすると、接眼部から液が溢れ出しやすくなるが、空気溜めである空隙部が液の逃げ場となるので、接眼部から液が溢れ出しにくくなる。また、空隙部によって、洗眼時の眼に対する圧迫感が減少するようになる。さらに、つまみ力が液受部から接眼部に伝わりにくくなって、接眼部が変形しにくくなるので、接眼部からの液溢れが生じにくくなる。
【００２８】
さらに、洗眼器全体は、弾性変形可能な柔軟素材（例えばエラストマー）であるので、柔らかい感触があり、洗眼部のフィット感も良好であるとともに、柔らかい弾性感でつまみ部をスクイズできるようになる。
【００２９】
さらにまた、洗眼器が接眼部と液受部とつまみ部等で凹段状に形成されていると、使用後の内部洗浄が不十分になりやすく、汚れがたまりやすい傾向にあるが、洗眼器全体は弾性変形可能な柔軟素材であるので、洗眼器を裏返して内部まで完全に洗浄できるようになる。
【００３０】
請求項３によれば、つまみ部に滑り止め加工を施しているから、指先がつまみ部で不用意に滑らないのでスクイズしやすくなって、指先に力を込めてスクイズしなくても、軽い力でスムーズにスクイズできるようになる。又、つまみ部の滑り止めを偏平部で形成すると、構造が簡単であるとともに、指腹が密着して滑りにくくなる。
【００３１】
請求項４によれば、つまみ部の滑り止めを凹部または凸部で形成すると、構造が簡単であるとともに、指腹が食い込んで滑りにくくなる。
【００３２】
請求項５によれば、つまみ部の滑り止めを偏平部と凹部または凸部で形成すると、構造が簡単であるとともに、指腹が密着し、かつ指腹が食い込んで、より滑りにくくなる。
【００３３】
請求項６によれば、接眼部を楕円状に形成して、つまみ部の偏平部を接眼部の長軸方向に偏平に形成すると、つまみ部をスクイズするときは、長軸方向の偏平部を指先でつまんで短軸方向にスクイズすることになるので、楕円状の接眼部が変形しにくくなって、接眼部からの液漏れが生じにくくなる。
【００３４】
請求項７によれば、つまみ部を下向きにした洗眼器をほぼ水平状態で自立保持させるためのアダプターを洗眼器と別部材で設けると、使用時において洗眼器に洗眼液を注入する際、洗眼器を一方の手で持っておく必要がなくなり、いずれかの手で洗眼液入りボトルを掴んで洗眼液を注入できるようになる。
【００３５】
本発明の第２の手段である洗眼器によれば、弾性変形可能な柔軟素材で洗眼器を一体成形しているから、洗眼時に、液受部に洗眼液を注入し、接眼部を眼の周囲に押し当てた後に、下向き姿勢でアダプターを介してつまみ部を指でつまんでスクイズするだけで、水中での瞬きで得られる攪拌水流とほぼ同程度の強さで洗眼液が攪拌されるので、熟練を要する水中での瞬きをする必要が無くなって、使用時の簡便性が向上するようになる。なお、上向き姿勢でも洗眼が可能である。
又、液受部の洗眼液が入る部分と接眼部に繋ぐ部分との間に空隙部を形成すると、下向き姿勢で洗眼する場合、眼との間に液が充満した状態でつまみ部をスクイズすると、接眼部から液が溢れ出しやすくなるが、空気溜めである空隙部が液の逃げ場となるので、接眼部から液が溢れ出しにくくなる。また、空隙部によって、洗眼時の眼に対する圧迫感が減少するようになる。さらに、つまみ力が液受部から接眼部に伝わりにくくなって、接眼部が変形しにくくなるので、接眼部からの液溢れが生じにくくなる。
【００３７】
さらに、洗眼器全体は、弾性変形可能な柔軟素材（例えばエラストマー）であるので、柔らかい感触があり、洗眼部のフィット感も良好であるとともに、柔らかい弾性感でアダプターを介してつまみ部をスクイズできるようになる。
【００３８】
さらにまた、洗眼器が接眼部と液受部とつまみ部とアダプター等で凹段状に形成されていると、使用後の内部洗浄が不十分になりやすく、汚れがたまりやすい傾向にあるが、洗眼器全体は弾性変形可能な柔軟素材であるので、洗眼器を裏返して内部まで完全に洗浄できるようになる。
【００３９】
また、つまみ部を下向きにした洗眼器をほぼ水平状態で自立保持させるためのアダプターを洗眼器と一体成形で設けているから、使用時において洗眼器に洗眼液を注入する際、洗眼器を一方の手で持っておく必要がなくなり、いずれかの手で洗眼液入りボトルを掴んで洗眼液を注入できるようになる。
【００４０】
請求項９によれば、アダプターに滑り止め加工を施しているから、指先がアダプターで不用意に滑らないのでスクイズしやすくなって、指先に力を込めてスクイズしなくても、軽い力でスムーズにスクイズできるようになる。又、アダプターの滑り止めを偏平部で形成すると、構造が簡単であるとともに、指腹が密着して滑りにくくなる。
【００４１】
請求項１０によれば、アダプターに滑り止め加工を施しているから、指先がアダプターで不用意に滑らないのでスクイズしやすくなって、指先に力を込めてスクイズしなくても、軽い力でスムーズにスクイズできるようになる。又、アダプターの滑り止めを凹部または凸部で形成すると、構造が簡単であるとともに、指腹が食い込んで滑りにくくなる。
【００４２】
請求項１１によれば、アダプターに滑り止め加工を施しているから、指先がアダプターで不用意に滑らないのでスクイズしやすくなって、指先に力を込めてスクイズしなくても、軽い力でスムーズにスクイズできるようになる。又、アダプターの滑り止めを偏平部と凹部または凸部で形成すると、構造が簡単であるとともに、指腹が密着し、かつ指腹が食い込んで、より滑りにくくなる。
【００４３】
請求項１２によれば、接眼部を楕円状に形成して、アダプターの偏平部を接眼部の長軸方向に偏平に形成すると、アダプターを介してつまみ部をスクイズするときは、長軸方向の偏平部を指先でつまんで短軸方向にスクイズすることになるので、楕円状の接眼部が変形しにくくなって、接眼部からの液漏れが生じにくくなる。
【００４４】
請求項１３のように、つまみ部に、長軸方向に偏平な偏平部を形成しても良い。
【００４５】
請求項１４のように、アダプターの偏平部をつまみ部若しくはつまみ部の偏平部に接合しても良い。
【００４６】
請求項１５のように、アダプターの偏平部をつまみ部若しくはつまみ部の偏平部に接合していなくても良い。
【００４７】
請求項１６によれば、アダプターをつまみ部の先端に一体成形しているから、つまみ部を指でつまんでスクイズしている場合、つまみ部が指から滑って上に滑り抜けようとした時に、アダプターが指の下に引っ掛かって滑り止めすることができる。
【００４８】
請求項１７によれば、つまみ部の深さを１５〜２５ｍｍに設定すると、つまみ部を指先で過不足無くつまむことができて、つまみ力が液受部から接眼部に伝わりにくくなって、接眼部が変形しにくくなるので、接眼部からの液溢れが生じにくくなる。
【００４９】
なお、空隙部は、つまみ部の滑り止め加工とは直接的な関係が無くても良く、例えば、眼に周囲を押し当てる接眼部と洗眼液を収容する液受部とでなる洗眼部と、指でつまむためのつまみ部とを有する洗眼器であって、上記洗眼器は、弾性変形可能な柔軟素材で一体成形されていて、上記液受部の洗眼液が入る部分と接眼部に繋ぐ部分との間に空隙部が形成されていることを特徴とする洗眼器としても良い。
【００５０】
請求項１８によれば、洗眼器の弾性変形可能な柔軟素材を耐熱性とすれば、衛生面から煮沸や蒸気で消毒しても塑性変形しなくなる。
【００５１】
請求項１９によれば、洗眼器と洗眼液入りボトルとを組み合わせた洗眼セットとすると、使用時に便利になり、衛生的に保管可能である。
【発明を実施するための最良の形態】
【００５２】
以下、本発明を実施するための最良の形態について、図面を参照しながら詳細に説明する。
【００５３】
第１〜６実施形態の洗眼器１０Ａ〜１０Ｆは、つまみ部１４に滑り止め加工を施した実施形態である。
【００５４】
図１〜図４は、第１実施形態の洗眼器１０Ａであり、図１（ａ）は斜視図、（ｂ）は正面図、図２（ａ）は側面図、（ｂ）は平面図、図３（ａ）は底面図、（ｂ）は図２（ｂ）のＡ−Ａ線断面図、図４（ａ）は図２（ｂ）のＢ−Ｂ線断面図、（ｂ）は使用状態の斜視図である。
【００５５】
上記洗眼器１０Ａは、眼に周囲を押し当てる楕円状の接眼部１１と洗眼液を収容する円筒状の液受部１２とでなる洗眼部１３と、指でつまむための乳首状のつまみ部１４とを有していて、洗眼器１０Ａは、弾性変形可能な柔軟素材で一体成形されている。
【００５６】
上記洗眼器１０Ａは、図４（ｂ）に示したように、洗眼時には、洗眼器１０を図４（ａ）の状態にして、洗眼液を液受部１２のレベルＷＬ（一点鎖線参照）まで注入して、接眼部１１を眼９（二点鎖線参照）の周囲に押し当てた後に、下向き姿勢のままでつまみ部１３を指（例えば親指と人差し指）９ａでつまんで何回かスクイズすると、水中での瞬きで得られる攪拌水流とほぼ同程度の強さで洗眼液が液受部１２内で攪拌されることにより、眼９を洗眼できるようになる。
【００５７】
上記洗眼器１０Ａを成形するための弾性変形可能な柔軟素材としては、弾性力と柔軟性とを有する素材であれば、特に規定されないが、成形性と耐薬品性と耐熱性とを有して、臭気を伴わないものが好ましい。また、必要に応じて抗菌活性を付与してもかまわない。さらに、安全性を考慮して昭和５７年厚生省告示第２０号、第１４改正日本薬局方  一般試験法に適合するものが好ましい。
【００５８】
具体的には、熱可塑性樹脂、シリコン樹脂、熱可塑性エラストマー、天然ゴム、ウレタンゴム等が挙げられ、これらを組み合わせても良い。
【００５９】
熱可塑性樹脂の場合、例えばオレフィン系樹脂では、熱可塑性エラストマーや水素添加スチレン系熱可塑性エラストマーを組み合わせることで、成形性が向上することが知られている。
【００６０】
熱可塑性エラストマーとしては、スチレン系、オレフィン系、ウレタン系、ポリエステル系、ポリアミド系、フッ素系、塩化ビニール系等の中から適宜に、成形性、耐薬品性、耐汚れ付着性、環境性、コスト等を考慮して選択されるが、中でもスチレン系、オレフィン系が好ましい。これらは単独で用いても良いし、複数を組み合わせて、例えば積層する等して用いても良い。
【００６１】
具体的には、旭化成社製のタフテック（登録商標）シリーズ  Ｈ１０５２、Ｈ１０５３、クラレ社製のセプトン（登録商標）シリーズ  ＣＪ００１、ＣＪ００２、ＣＪ１０１、ＣＪ１０２、リケンテクノ社製のレオストマシリーズ  ＬＪ−１０５０Ｎ、ＬＪ−１０６０Ｎ（スチレン系）、東洋紡社製のサーリンク（登録商標）シリーズ  ３１４０、３１６０、４１５５、４１５６（オレフィン系）等が挙げられる。
【００６２】
硬さは、ＪＩＳ  Ｋ６２５３（デュロメータータイプＡ）による測定値で５０〜８０、引張り強さと伸びは、ＪＩＳ  Ｋ６２５３（３号ダンベル  引張速度５００ｍｍ／ｍｉｎ）による測定値で５〜２０ＭＰａ、３００％引張応力が１．５〜５ＭＰａ程度の範囲であることを目安とする。
【００６３】
上記洗眼器１０Ａの各部の標準寸法は、図１（ｂ）のように、洗眼部１３の深さＤ１は１８ｍｍ、つまみ部１４の深さＤ２は１６ｍｍ、液受部１２の正面視幅Ｗ１は２８ｍｍ、つまみ部１４の基部の正面視幅Ｗ２は１６ｍｍ、図２（ａ）のように、液受部１２の側面視幅Ｗ３は２８ｍｍ、つまみ部１４の基部の側面視幅Ｗ４は１４ｍｍ、図２（ｂ）のように、接眼部１１の長軸方向の幅Ｗ５は４２ｍｍ、接眼部１１の短軸方向の幅Ｗ６は３２ｍｍ、各部の厚みは、０．８〜２ｍｍ程度であり、均一な厚みあるいは不均一な厚みとするかは適宜に選択することができる。上記標準寸法に対して、大きめ用や小さめ用等のように、洗眼器１０Ａのサイズを変更したい要望があるときは、比例的に拡大または縮小すれば良い。なお、本実施形態では、つまみ部１４の深さＤ２を１６ｍｍに設定したが、１５〜２５ｍｍの範囲が好ましく、つまみやすさだけを考えると、２０ｍｍ程度が最適である。本実施形態の標準寸法のように設定すれば、洗眼液の容量が３〜７ｍＬと少ない容量でも効率良く洗浄できる。
【００６４】
上記洗眼器１０Ａのつまみ部１４には滑り止め加工が施されている。かかる滑り止め加工としては、上記洗眼部１１が楕円状に形成されている場合には、この接眼部１１の長軸方向に偏平な偏平部１４ａをつまみ部１４の対向部分に形成する。また、各偏平部１４ａには、例えば涙形状の凸部１４ｂをそれぞれ形成しても良い。なお、滑り止め加工は、偏平部１４ａ等に限られず、エンボス等であっても良い。
【００６５】
上記洗眼部１３の液受部１２は、洗眼液が入る部分１２Ａと接眼部１１に繋ぐ部分１２Ｂとで形成されて、両部分１２Ａ，１２Ｂの間には、接眼部１１の長軸方向の両側に、接眼部１１と液受部１２の内面よりも外方に膨出した内面を有する空隙部１５が形成されている。
【００６６】
上記のように構成した洗眼器１０Ａであれば、洗眼器１０Ａは、弾性変形可能な柔軟素材で一体成形しているから、使用時に、液受部１２に洗眼液をレベルＷＬまで注入して、図４（ｂ）のように、洗眼部１１を眼９の周囲に押し当てた後に、下向き姿勢のままでつまみ部１３を指９ａでつまんで何回かスクイズすると、水中での瞬きで得られる攪拌水流とほぼ同程度の強さで洗眼液が液受部１２内で攪拌されるようになる。
【００６７】
このように、下向き姿勢のままで、つまみ部１４を指でつまんでスクイズするだけで、洗眼できるようになるから、熟練を要する水中での瞬きをする必要が無くなって、使用時の簡便性が向上するようになる。
【００６８】
また、つまみ部１４に滑り止め加工（偏平部１４ａや凸部１４ｂ）を施しているから、指先がつまみ部１４で不用意に滑らないのでスクイズしやすくなって、指先に力を込めてスクイズしなくても、軽い力でスムーズにスクイズできるようになる。
【００６９】
このつまみ部１４の滑り止めを偏平部１４ａで形成しているので、構造が簡単であるとともに、指腹が密着して滑りにくくなるとともに、加えて、偏平部１４ａに凸部１４ｂも形成しているので、指腹が食い込んで滑りにくくなる。
【００７０】
さらに、洗眼器１０Ａ全体は、弾性変形可能な柔軟素材（例えばエラストマー）であるので、柔らかい感触があり、洗眼部１３のフィット感も良好であるとともに、柔らかい弾性感でつまみ部１４をスクイズできるようになる。
【００７１】
さらにまた、洗眼器１０Ａが接眼部１１と液受部１２とつまみ部１４等で凹段状に形成されていることから、使用後の内部洗浄が不十分になりやすく、汚れがたまりやすい傾向にあるが、洗眼器１０Ａ全体は弾性変形可能な柔軟素材であるので、洗眼器１０Ａを裏返して内部まで完全に洗浄できるが、つまみ部１４の形状が正面視でつまみ部底部から基部に向けて、ストレート状あるいはすそ広がり状であると、より容易に洗眼器１０Ａを裏返して内部まで完全に洗浄できるようになる。なお、洗眼器１０Ａの弾性変形可能な柔軟素材は、耐熱性であるので、衛生面から煮沸や蒸気で消毒しても塑性変形しなくなる。
【００７２】
上記洗眼器１０Ａ（下記の洗眼器１０Ｂ〜１０Ｊも同じ。）の耐熱性について、次述する加熱条件で、塑性変形しないことを確認した。
【００７３】
〔煮沸試験〕
ｉ）アルミ鍋に洗眼器１０Ａ全体が浸る程度の水を入れ、蓋をして５分間加熱した。
【００７４】
ｉｉ）蓋を開けて３分間煮沸させた。
【００７５】
ｉｉｉ）アルミ鍋から洗眼器１０Ａを取り出し、冷まして、塑性変形していないことを確認した。
【００７６】
〔電子レンジによる煮沸試験〕
ｉ）７０ｍｌの水と洗眼器１０Ａとを煮沸用ポリ袋に入れた。
【００７７】
ｉｉ）６００Ｗで３分間加熱した。
【００７８】
ｉｉｉ）電子レンジから洗眼器１０Ａを取り出し、冷まして、塑性変形していないことを確認した。
【００７９】
上記洗眼器１０Ａ（下記の洗眼器１０Ｂ〜１０Ｉも同じ。）を裏返すについて、次述する測定方法で、測定値が３〜１５Ｎの範囲であると、容易に裏返すことが可能であることを確認した。
【００８０】
測定器：ＦＵＤＯ社  レオメーター
アダプター：押し潰し応力測定用３ｃｍφ
ＴＳＰＥＥＤ：６ｃｍ／ｍｉｎ
アンプモード：Ｆ（通常作動）
測定室温：室温
図１０に示すように、洗眼器１０Ａのつまみ部１４を上向きにしてレオメーター台座２０に置き、その後、上記条件によりアダプター２１でつまみ部１４から洗眼器１０Ａを押し潰して、洗眼器１０Ａの押し潰しに対する応力を測定した。測定値は、押し潰しの間の最大値とした。
【００８１】
また、接眼部１１が楕円状に形成されている場合に、つまみ部１４の偏平部１４ａを接眼部１１の長軸方向に偏平に形成しているから、つまみ部１４をスクイズするときは、長軸方向の偏平部１４ａを指先でつまんで短軸方向にスクイズすることになるので、楕円状の接眼部１１が変形しにくくなって、接眼部１１からの液漏れが生じにくくなる。なお、接眼部１１を左右対称の楕円状に形成しているので、眼９の周囲に押し当てる際の方向性が無くなって、便利に使用できるが、接眼部１１を左右非対称の楕円状に形成しても差し支えはない。
【００８２】
さらに、つまみ部１４の基部の側面幅Ｗ２を１６ｍｍ、側面視幅Ｗ４を１４ｍｍとし、深さＤ２を約１６ｍｍに設定すると、つまみ部１４が細く長くなるので、指先９ａで過不足無くつまむことができて、つまみ力が液受部１２から接眼部１１に伝わりにくくなって、接眼部１１が変形しにくくなるので、接眼部１１からの液溢れが生じにくくなる。
【００８３】
さらにまた、洗眼部１３の接眼部１１と液受部１２との間に空隙部１５を形成しているから、下向き姿勢で洗眼する場合、眼９との間に液が充満した状態でつまみ部１４をスクイズすると、接眼部１１から液が溢れ出しやすくなるが、空気溜めである空隙部１５が液の逃げ場となるので、接眼部１１から液が溢れ出しにくくなる。また、空隙部１５によって、洗眼時の眼９に対する圧迫感が減少するようになる。さらに、つまみ力が液受部１２から接眼部１１に伝わりにくくなって、接眼部１１が変形しにくくなるので、接眼部１１からの液溢れが生じにくくなる。
【００８４】
図５は、第２実施形態の洗眼器１０Ｂであり、（ａ）は斜視図、（ｂ）は正面図である。第１実施形態の洗眼器１０Ａと相違するのは、液受部１２の洗眼液が入る部分１２Ａと接眼部１１に繋ぐ部分１２Ｂとの間に空隙部１５が形成されていない点であり、空隙部１５以外の作用効果は第１実施形態と同様である。
【００８５】
図６は、第３実施形態の洗眼器１０Ｃであり、（ａ）は斜視図、（ｂ）は図２（ｂ）のＡ−Ａ線に相当する断面図である。第１実施形態の洗眼器１０Ａと相違するのは、つまみ部１４の偏平部１４ａに凸部１４ｂが形成されていない点であり、凸部１４ｂ以外の作用効果は第１実施形態と同様である。この偏平部１４ａだけであっても、指腹が密着して滑りにくくなる。
【００８６】
図７は、第４実施形態の洗眼器１０Ｄであり、（ａ）は斜視図、（ｂ）は図２（ｂ）のＡ−Ａ線に相当する断面図である。第１実施形態の洗眼器１０Ａと相違するのは、つまみ部１４の偏平部１４ａに凸部１４ｂに代えて凹部１４ｃが形成されている点であり、その作用効果は第１実施形態と同様である。この凹部１４ｃであっても、凸部１４ｂと同様に、指腹が食い込んで滑りにくくなる。
【００８７】
図８は、第５実施形態の洗眼器１０Ｅであり、（ａ）は斜視図、（ｂ）は図２（ｂ）のＡ−Ａ線に相当する断面図である。第１実施形態の洗眼器１０Ａと相違するのは、つまみ部１４の偏平部１４ａが形成されておらず、横長楕円状の凸部１４ｂのみが形成されている点であり、偏平部１４ａ以外の作用効果は第１実施形態と同様である。この凸部１４ｂだけであっても、指腹が食い込んで滑りにくくなる。
【００８８】
図９は、第６実施形態の洗眼器１０Ｆであり、（ａ）は斜視図、（ｂ）は正面図である。第１実施形態の洗眼器１０Ａと相違するのは、つまみ部１４の頂部１４ｄが半球状では無く、フラット状である点であり、その作用効果は第１実施形態と同様である。
【００８９】
第７〜９実施形態の洗眼器１０Ｇ〜１０Ｉは、アダプター１９に滑り止め加工を施した実施形態である。
【００９０】
図１１および図１２は、第７実施形態の洗眼器１０Ｇであり、図１１（ａ）は斜視図、（ｂ）は洗眼器１０Ｇを机上等２３にセットした側面断面図、図１２（ａ）は洗眼器１０Ｇを机上等２３にセットした正面断面図、（ｂ）は変形例の側面断面図である。
【００９１】
上記アダプター１９は、洗眼器１０Ｇの液受部１２に洗眼液入りボトル１７（図２２参照）から洗眼液を注入するときに利用するものである。
【００９２】
すなわち、第１〜６実施形態の洗眼器１０Ａ〜１０Ｆでは、液受部１２に洗眼液入りボトル１７から洗眼液を注入するときは、一方の手で洗眼器１０Ａ等を持ちつつ、他方の手で洗眼液入りボトル１７を掴んで洗眼液を注入しなければならない。つまり、両手を使う必要がある。
【００９３】
そこで、液注入時に机上等２３にアダプター１９を置くと、洗眼器１０Ｇをほぼ水平状態で自立保持することができる。
【００９４】
これにより、一方の手で洗眼器１０Ａ等を持っておく必要が無くなって、いずれかの手で洗眼液入りボトル１７を掴んで洗眼液を注入できるようになる。つまり、両手を使う必要が無くなる。
【００９５】
第７実施形態の洗眼器１０Ｇは、つまみ部１４に滑り止め加工（前記偏平部１４ａ、凸部１４ｂ、凹部１４ｃ）を施していない〔例えば、図８（ａ）の洗眼器１０Ｅから凸部１４ｂを除去したものをイメージすれば良い〕。なお、アダプター１９を除いた洗眼器１０Ｇの素材や構成は、第１〜６実施形態の洗眼器１０Ａ〜１０Ｆと同じである。
【００９６】
そして、洗眼器１０Ｇの液受部１２の底部に、つまみ部１４の外周囲を覆うアダプター１９を一体成形している。このアダプター１９は、液受部１２に一体成形しているから、当然のことながら、洗眼器１０Ｇと同じ弾性変形可能な柔軟素材である。
【００９７】
上記アダプター１９には滑り止め加工が施されている。かかる滑り止め加工としては、アダプター１９を上記接眼部１１と同じ向きの楕円状に形成して、この接眼部１１の長軸方向に偏平な偏平部１９ａをアダプター１９の対向部分に形成する。
【００９８】
上記各偏平部１９ａには、図１３のような凸部１９ｂを形成したり、図１４のような凹部１９ｃを形成しても良い。
【００９９】
上記上記アダプター１９の偏平部１９ａとつまみ部１４とは、接合しない場合には高さＴ１の範囲で隙間Ｓ１〔図１１（ｂ）参照〕を生じているが、この高さＴ１の範囲で、アダプター１９の偏平部１９ａとつまみ部１４とを接着や熱着等で接合することもできる。
【０１００】
また、図１２（ｂ）のように、上記高さＴ１の範囲で、アダプター１９の偏平部１９ａとつまみ部１４とを一体化して成形することもできる。
【０１０１】
上記のように構成した洗眼器１０Ｇであれば、アダプター１９とともに洗眼器１０Ｇは、弾性変形可能な柔軟素材で一体成形しているから、図４（ａ）と同様にして、使用時に、液受部１２に洗眼液をレベルＷＬまで注入して、図４（ｂ）と同様にして、洗眼部１１を眼９の周囲に押し当てた後に、下向き姿勢のままで、アダプター１９の偏平部１９ａを介して、つまみ部１３を指９ａでつまんで何回かスクイズすると、水中での瞬きで得られる攪拌水流とほぼ同程度の強さで洗眼液が液受部１２内で攪拌されるようになる。
【０１０２】
このように、下向き姿勢のままで、アダプター１９の偏平部１９ａを介してつまみ部１４を指でつまんでスクイズするだけで、洗眼できるようになるから、熟練を要する水中での瞬きをする必要が無くなって、使用時の簡便性が向上するようになる。
【０１０３】
また、アダプター１９に滑り止め加工（偏平部１９ａ、凸部１９ｂ、凹部１９ｃ）を施しているから、指先が不用意に滑らないのでつまみ部１４のスクイズしやすくなって、指先に力を込めてスクイズしなくても、軽い力でスムーズにスクイズできるようになる。
【０１０４】
このアダプター１９の滑り止めを偏平部１９ａで形成しているので、構造が簡単であるとともに、指腹が密着して滑りにくくなるとともに、加えて、偏平部１９ａに凸部１９ｂや凹部１９ｃを形成すれば、指腹が食い込んで滑りにくくなる。なお、アダプター１９を介してつまみ部１４をつまむ場合、アダプター１９の長さを１５〜２５ｍｍの範囲に設定すると良い。
【０１０５】
さらに、洗眼器１０Ｇ全体は、弾性変形可能な柔軟素材（例えばエラストマー）であるので、柔らかい感触があり、洗眼部１３のフィット感も良好であるとともに、柔らかい弾性感でアダプター１９を介してつまみ部１４をスクイズできるようになる。
【０１０６】
さらにまた、洗眼器１０Ｇが接眼部１１と液受部１２とつまみ部１４とアダプター１９等で凹段状に形成されていることから、使用後の内部洗浄が不十分になりやすく、汚れがたまりやすい傾向にあるが、アダプター１９を含む洗眼器１０Ｇ全体は弾性変形可能な柔軟素材であるので、アダプター１９とともに洗眼器１０Ｇを裏返して内部まで完全に洗浄できるようになる。なお、アダプター１９とつまみ部１４が偏平部１９ａにおいて接合されていない場合は、洗浄時に洗眼器１０Ｇを裏返すことがより容易になる。なおまた、アダプター１９を含む洗眼器１０Ｇの弾性変形可能な柔軟素材は、耐熱性であるので、衛生面から煮沸消毒しても塑性変形しなくなる。
【０１０７】
図１５は、第８実施形態の洗眼器１０Ｈであり、（ａ）は斜視図、（ｂ）は洗眼器１０Ｈを机上等２３にセットした側面断面図である。
【０１０８】
第７実施形態では、アダプター１９の滑り止め加工として、アダプター１９を楕円状にして、偏平部１９ａを形成したものであったが、第８実施形態の洗眼器１０Ｈでは、アダプター１９を液受部１２とほほ同じ外径の円筒状にして、このアダプター１９の外面に、滑り止め加工として、凸部１９ｂ（凹部１９ｃでも可）を形成したものであって、その作用効果は第７実施形態と同様である。
【０１０９】
また、図１６に変形例を示すように、アダプター１９をつまみ部１４の基部とほほ同じ外径の円筒状にしても良い。この場合、図１７（ａ）に示すように、つまみ部１４の外径をアダプター１９の内径に合わせれば、つまみ部１４にアダプター１９が密着するから、上記隙間Ｓ１〔図１１（ｂ）参照〕による異和感が無くなって、アダプター１９を介してつまみ部１４をスムーズにスクイズできるようになる。なお、アダプター１９とつまみ部１４とを接着や熱着等で接合することもできるし、図１２（ｂ）に示した高さＴ１の範囲で、アダプター１９とつまみ部１４とを一体化して成形することもできる。
【０１１０】
なお、図１７（ｂ）のように、アダプター１９を液受部１２の外径を同じ外形の円筒状にすれば、隙間Ｓ２が広くなるから、この隙間Ｓ２に指９ａを入れてつまみ部１４を直接スクイズすることが可能になる。この場合には、つまみ部１４に滑り止め加工、特に前記偏平部１４ａを施すことが好ましく、つまみ部１４が偏平な分だけ隙間Ｓ２がより広くなる。
【０１１１】
図１８は、第９実施形態の洗眼器１０Ｉであり、（ａ）は斜視図、（ｂ）は洗眼器１０Ｉを机上等２３にセットした側面断面図である。
【０１１２】
第７実施形態の洗眼器１０Ｇと相違するのは、つまみ部１４に前記偏平部１４ａを施した点である。なお、アダプター１９の偏平部１９ａとつまみ部１４の偏平部１４ａとを接着や熱着等で接合することもできる。
【０１１３】
図１９は、第１０実施形態の洗眼器１０Ｊであり、つまみ部１４の先端にアダプター１９を一体成形したタイプである。このアダプター１９は、平面視で円形状や楕円形状、その他の形状であって良い。また、つまみ部１４に滑り止め加工（前記偏平部１４ａ、凸部１４ｂ、凹部１４ｃ）を施していないものでも可能である。
【０１１４】
このように、つまみ部１４の先端にアダプター１９を一体成形すれば、台座状のアダプター１９で洗眼器１０Ｊを自立した状態に保持できるとともに、つまみ部１３を指９ａでつまんでスクイズしている場合、つまみ部１３が指９ａから滑って上に滑り抜けようとした時に、アダプター１９が指９ａの下に引っ掛かって滑り止めすることができる。
【０１１５】
図２０は、上記洗眼器１０Ａ〜１０Ｆに使用できる第１１実施形態の円筒状のアダプター１９であって、上記洗眼器１０Ａ〜１０Ｆとは別部材として設けられている。
【０１１６】
このアダプター１９は、特に素材は問わず、例えば熱可塑性樹脂、その他の合成樹脂、天然素材、薄い紙等を円筒状に丸めたものである。また、偏平に折り畳んだものを円筒状に広げて使用することもできる。
【０１１７】
このアダプター１９は、洗眼器１０Ａ等を自立した状態に保持する目的を達成できるものであれば、保持方法は特に問わず、図２０（ｂ）のように、液受部１２を嵌め込んで保持するものであっても、二点鎖線で示すように、液受部１２の底部を置いて保持するものであっても良い。
【０１１８】
図２１に示すように、有頂円筒状のアダプター１９を設けて、下部に大径フランジ部１９ｄを形成するとともに、頂部１９ｅに差し込み穴１９ｆを形成して、この差し込み穴１９ｆに洗眼器１０Ａ等のつまみ部１４を差し込んで、頂部１９ｅに液受部１２の底部を置いて保持することもできる。
【０１１９】
また、不使用時には、洗眼器１０Ａ等を逆さまにした状態で、アダプター１０の頂部１９ｅに被せて保持しておくことができるから、洗浄後の洗眼器１０Ａ等を乾燥した状態に保ったり、不使用時にホコリの付着を予防したり等、衛生的に保管することできる保管台として使用することができる。
【０１２０】
図２２は、上記いずれかの洗眼器１０Ａ〜１０Ｊと洗眼液入りボトル１７とが組み合わされてなる洗眼セットであり、（ａ）は斜視図、（ｂ）は要部拡大断面図である。
【０１２１】
上記洗眼液入りボトル１７の口顎部１７ａにはキャップ１８が固定されて、このキャップ１８は、ヒンジ部１８ａによって蓋部１８ｂを開閉することができ、ノズル１８ｃから洗眼液を注出するようになっている。
【０１２２】
上記洗眼器１０Ａ等の洗眼部１３の内部には、不使用時に洗眼液入りボトル１７のキャップ１８に被せたときに、キャップ１８の外周に圧接可能な複数の突起１３ａ〔図２（ｂ）参照〕が形成されている。このように、不使用時には、洗眼器１０Ａ等を洗眼液入りボトル１７のキャップ１８に被せて保持しておくことができるから、洗浄後の洗眼器１０Ａ等を乾燥した状態に保ったり、不使用時にほこりの付着を予防したり等、衛生的に保管したり、紛失を防止することができる。ここで、キャップ１８は内キャップ、洗眼器１０Ａ等は外キャップとして取り扱うことができる。
【０１２３】
このように、洗眼器１０Ａ等と洗眼液入りボトル１７とを組み合わせた洗眼セットとすると、使用時に便利になり、衛生的に保管可能である。なお、１回分の洗眼液を収納したボトルを複数本と、洗眼器１０Ａ等とをケースに収容した洗眼セットとすることもできる。
【図面の簡単な説明】
【０１２４】
【図１】第１実施形態の洗眼器であり、（ａ）は斜視図、（ｂ）は正面図である。
【図２】（ａ）は側面図、（ｂ）は平面図である。
【図３】（ａ）は底面図、（ｂ）は図２（ｂ）のＡ−Ａ線断面図である。
【図４】（ａ）は図２（ｂ）のＢ−Ｂ線断面図、（ｂ）は使用状態の斜視図である。
【図５】第２実施形態の洗眼器であり、（ａ）は斜視図、（ｂ）は正面図である。
【図６】第３実施形態の洗眼器であり、（ａ）は斜視図、（ｂ）は図２（ｂ）のＡ−Ａ線に相当する断面図である。
【図７】第４実施形態の洗眼器であり、（ａ）は斜視図、（ｂ）は図２（ｂ）のＡ−Ａ線に相当する断面図である。
【図８】第５実施形態の洗眼器であり、（ａ）は斜視図、（ｂ）は図２（ｂ）のＡ−Ａ線に相当する断面図である。
【図９】第６実施形態の洗眼器であり、（ａ）は斜視図、（ｂ）は正面図である。
【図１０】測定器の側面を模式的の表した図である。
【図１１】第７実施形態の洗眼器であり、（ａ）は斜視図、（ｂ）は（ａ）のＣ−Ｃ線断面図である。
【図１２】（ａ）は図１１（ａ）のＤ−Ｄ線断面図、（ｂ）は変形例の図１１（ａ）のＣ−Ｃ線に相当する断面図である。
【図１３】（ａ）は変形例の洗眼器の斜視図、（ｂ）は（ａ）のＣ−Ｃ線断面図である。
【図１４】変形例の図１３（ａ）のＣ−Ｃ線に相当する断面図である。
【図１５】第８実施形態の洗眼器であり、（ａ）は斜視図、（ｂ）は（ａ）のＣ−Ｃ線断面図である。
【図１６】変形例の洗眼器であり、（ａ）は斜視図、（ｂ）は（ａ）のＣ−Ｃ線断面図である。
【図１７】（ａ）は変形例の図１６（ａ）のＣ−Ｃ線に相当する断面図、（ｂ）は変形例の図１５（ａ）のＣ−Ｃ線に相当する断面図である。
【図１８】第９施形態の洗眼器であり、（ａ）は斜視図、（ｂ）は（ａ）のＣ−Ｃ線断面図である。
【図１９】第１０実施形態の洗眼器の断面図である。
【図２０】第１１実施形態であり、（ａ）はアダプターの斜視図、（ｂ）は洗眼器をセットしたアダプターの断面図である。
【図２１】変形例であり、（ａ）はアダプターの斜視図、（ｂ）は洗眼器をセットしたアダプターの断面図である。
【図２２】洗眼器と洗眼液入りボトルとが組み合わされてなる洗眼セットであり、（ａ）は斜視図、（ｂ）は要部拡大断面図である。
【図２３】（ａ）は、従来の洗眼器の要部破断側面図、（ｂ）は、洗眼器を洗眼液容器体のキャップに嵌合付設した要部破断側面図である。
【符号の説明】
【０１２５】
９      眼
９ａ    指
１０Ａ〜１０Ｊ  洗眼器
１１    接眼部
１２    液受部
１２Ａ  洗眼液が入る部分
１２Ｂ  接眼部に繋ぐ部分
１３    洗眼部
１４    つまみ部
１４ａ  偏平部（滑り止め加工）
１４ｂ  凸部（滑り止め加工）
１４ｃ  凹部（滑り止め加工）
１５    空隙部
１７    洗眼液入りボトル
１８    キャップ
１９    アダプター
１９ａ  偏平部（滑り止め加工）
１９ｂ  凸部（滑り止め加工）
１９ｃ  凹部（滑り止め加工）
２３    机上等
【図１】
0004724401.tif 000002
【図２】
0004724401.tif 000003
【図３】
0004724401.tif 000004
【図４】
0004724401.tif 000005
【図５】
0004724401.tif 000006
【図６】
0004724401.tif 000007
【図７】
0004724401.tif 000008
【図８】
0004724401.tif 000009
【図９】
0004724401.tif 000010
【図１０】
0004724401.tif 000011
【図１１】
0004724401.tif 000012
【図１２】
0004724401.tif 000013
【図１３】
0004724401.tif 000014
【図１４】
0004724401.tif 000015
【図１５】
0004724401.tif 000016
【図１６】
0004724401.tif 000017
【図１７】
0004724401.tif 000018
【図１８】
0004724401.tif 000019
【図１９】
0004724401.tif 000020
【図２０】
0004724401.tif 000021
【図２１】
0004724401.tif 000022
【図２２】
0004724401.tif 000023
【図２３】
0004724401.tif 000024